(57)【要約】  【課題】  充分なスロープ長と強度を有するスロープを容易に形成でき、軽量化や材料コストの削減も図られる梱包ケースを提供する。  【解決手段】  上部底板４と下部底板５との間に所定間隔を空けて支柱６が配設され上記支柱６間にフォークリフトのフォーク挿入空間が形成された底板体２と、前記上部底板４の上面に設けられ前記上部底板４に掛かる被梱包物１０の荷重負荷を緩和する緩衝板１２と、前記底板体２に連結される上部ケース３と、前記上部底板４の四周に設けられ前記底板体２の各辺周りに屈折自在なフラップ７とを備え、該フラップ７を垂直に立ち上げ、前記上部ケース３の下部との間を連結することにより前記上部ケース３内に被梱包物１０を梱包する梱包ケース１において、前記緩衝板１２に回動自在に枢支され前記上部ケース３内に折り畳み収納されるスロープ１３と、該スロープ１３に設けられ床面上でスロープ１３を支えて補強するための補強部材１４とを有することを特徴とする。【選択図】      図１
2006096356.tif 000002
【特許請求の範囲】
【請求項１】
上部底板と下部底板との間に所定間隔を空けて支柱が配設され上記支柱間にフォークリフトのフォーク挿入空間が形成された底板体と、前記上部底板の上面に設けられ前記上部底板に掛かる被梱包物の荷重負荷を緩和する緩衝板と、前記底板体に連結される上部ケースと、前記上部底板の周縁の少なくとも二辺に屈折自在に設けられたフラップとを備え、該フラップを垂直に立ち上げ、前記上部ケースの下部との間を連結することにより前記上部ケース内に被梱包物を梱包する梱包ケースにおいて、
前記緩衝板に回動自在に枢支され前記上部ケース内に折り畳み収納されるスロープと、該スロープに設けられ床面上でスロープを支えて補強するための補強部材とを有することを特徴とする梱包ケース。
【請求項２】
前記補強部材が前記スロープに沿って摺動自在に設けられていることを特徴とする請求項１に記載の梱包ケース。
【請求項３】
前記スロープは、一端が前記緩衝板に回転自在に枢支された第１スロープと、該第１スロープの他端に回転自在に枢支され前記上部ケース内に収納されるように折り畳まれる第２スロープとにより構成され、前記補強部材は前記第２スロープとともに回動するように第２スロープに取り付けられていることを特徴とする請求項１に記載の梱包ケース。
【発明の詳細な説明】
【技術分野】
【０００１】
本発明は、大型複写機等の重量製品を梱包する梱包ケースに係り、このような重量物が梱包された梱包ケースを開梱して重量物を取り出す作業を容易にする梱包ケースに関する。
【背景技術】
【０００２】
重量物を梱包した梱包ケースを開梱して複写機を取り出すとき、大型の複写機になると重量は大きく４〜５人で持ち上げ、底板を抜くか、複写機を底板上から移動させることになる。この作業は少人数ではやりにくく、製品を転倒させる等により製品に損傷を与えることにもなりかねないという問題があった。
【０００３】
そこで、特許文献１では、図７に示すように、パレット２０２の支柱２０６ａに折り畳みブロック２０６ｂを設けたものが提案されている。折り畳みブロック１０２は支柱２０６を分割した可動支柱として形成され、梱包は上部底板２０４と下部底板２０５との間に収納され、開梱時に取り出して展開することで、パレット２０２上面と床面との間にスロープを形成することができる。従って、パレット上に載置されたキャスター付きの被梱包物をスロープ上で転がして床面に下ろすことができる。
【０００４】
また、特許文献２では、木枠にて構成された梱包ケースを開梱することにより、倒れたケース側壁の一つでパレット上面と床面との間にスロープを形成するものが提案されている。
【特許文献１】特開平８−２８２６６６号公報（第１図）
【特許文献２】実開平５−３１２９号公報（第１図）
【発明の開示】
【発明が解決しようとする課題】
【０００５】
しかしながら、特許文献１の方法では、梱包時は折り畳みブロックはパレット内に折り畳み収納されているため、開梱時にそれがあることに作業者は気づきづらく、またそれに気づいてもわざわざかがんで折り畳みブロックを出すのは面倒であり、使用されない可能性が多分にある。また、床面からパレット上面までの段差がある程度大きい場合、スロープ長が短くなるため、被梱包物のキャスターの大きさによっては底板が当たりスムーズに下ろせないという問題があった。
【０００６】
また、特許文献２の方法では、スロープ長を長く確保できるが、被梱包物の重量に耐えうる強度も確保する必要があることから木製の梱包ケースが必要であり、紙製のものに比べて重量が重くなり、材料コスト、環境の面からも望ましくない。
【０００７】
本発明は、上記の問題に鑑みてなされたものであり、充分なスロープ長と強度を有するスロープを容易に形成でき、軽量化や材料コストの削減も図られる梱包ケースを提供することを目的とする。
【課題を解決するための手段】
【０００８】
上記目的を達成するために本発明は、上部底板と下部底板との間に所定間隔を空けて支柱が配設され上記支柱間にフォークリフトのフォーク挿入空間が形成された底板体と、前記上部底板の上面に設けられ前記上部底板に掛かる被梱包物の荷重負荷を緩和する緩衝板と、前記底板体に連結される上部ケースと、前記上部底板の周縁の少なくとも二辺に屈折自在に設けられたフラップとを備え、該フラップを垂直に立ち上げ、前記上部ケースの下部との間を連結することにより前記上部ケース内に被梱包物を梱包する梱包ケースにおいて、前記緩衝板に回動自在に枢支され前記上部ケース内に折り畳み収納されるスロープと、該スロープに設けられ床面上でスロープを支えて補強するための補強部材とを有することを特徴とする。
【０００９】
例えば、前記補強部材が前記スロープに沿って摺動自在に設けられていることを特徴とする。
【００１０】
或いは、前記スロープは、一端が前記緩衝板に回転自在に枢支された第１スロープと、該第１スロープの他端に回転自在に枢支され前記上部ケース内に収納されるように折り畳まれる第２スロープとにより構成され、前記補強部材は前記第２スロープとともに回動するように第２スロープに取り付けられていることを特徴とする。
【発明の効果】
【００１１】
本発明の梱包ケースは、緩衝板に回動自在に枢支され上部ケース内に折り畳み収納されるスロープと、スロープに設けられ床面上でスロープを支えて補強するための補強部材とを有することにより、底板体の上面と床面との間に、充分なスロープ長と強度を有するスロープを容易に形成することができる。このため、重い被梱包物を持ち上げることなく、床面に下ろすことができる。更に、スロープや補強部材は段ボール等の厚紙を材料として作製することができるため、軽量化や材料コストの削減も図られる。
【発明を実施するための最良の形態】
【００１２】
以下、本発明を実施するための最良の形態について図面を参照して説明する。
【００１３】
本発明の第１の実施形態について説明する。図１は、本発明の第１の実施形態に係る梱包ケースの分解斜視図である。
【００１４】
梱包ケース１は、スキッド構造に形成された底板体２と、該底板体２に連結される上部ケース３とを備えて構成されている。底板体２は、段ボールシートにより形成された上部底板４と下部底板５との間に、所定間隔を空けて支柱６が３本配設され、該支柱６間にフォークリフトの爪を挿入するためのフォーク挿入空間が形成されている。また、支柱６自体も２カ所に矩形の切り欠きを有しており、３本の支柱６の対応する切り欠きによってもフォーク挿入空間が形成される。上部底板４の四周には底板体２の各辺周りに屈折自在なフラップ７が設けられている。なお、フラップ７は、上部底板４の四周（全周）に設けられている必要はなく、周縁の少なくとも二辺に設けられていればよい。
【００１５】
上部底板４の上面両側には、該上部底板４に掛かる被梱包物である大型複写機１０の荷重負荷を緩和する一対の緩衝板１２が設けられている。緩衝板１２は、大型複写機１０の底面両側に前後で２組設けられたキャスター１５に対応して、開梱時はキャスター１５を受けてキャスター１５の転動路となるように、底板体２の奥行き方向に延びて設けられている。
【００１６】
また、各緩衝板１２の一端縁には、段ボール等の厚紙から成るスロープ１３がそれぞれ回動自在に枢支されている。スロープ１３と緩衝板１２との間は、緩衝板１２の一端縁を回動軸として、スロープ１３が垂直に立った状態から床面に倒れた状態まで回動できるように、両者の境界部にクラフト紙等を貼り渡して、このクラフト紙等がスロープ１３が回動するときのヒンジの役割を担うように構成されている。スロープ１３は、常時は垂直に屈折されてフラップ７の内壁に立て掛けて収納され、開梱時に自重で床面まで傾倒することにより、底板体２の上面から床面に至る傾斜面を構成する。スロープ１３はスロープ長の長い斜面を形成できるようにできるように充分な長さを有している。スロープ１３には、このスロープ１３に沿って摺動自在に後述する補強部材１４が設けられている。
【００１７】
補強部材１４は、例えば、図２に示すように、台形状にカットした段ボール等の厚紙を積層し接着することにより軽量ブロックとして構成されており、直方体の側面の一つが斜面となるように直方体を斜めにカットした形状であって、この斜面と向き合う垂直な面と平行にスリット状の貫通穴１４ａを有している。そして、この貫通穴１４ａに上記スロープ１３が挿通されることで、補強部材１４はスロープ１３に沿って摺動自在に設けられる。
【００１８】
このようなスロープ構造は、底板体２の一辺にのみ設けても良いが、これに相対する辺にもう１つ設けてもよい。更には、これに直交する一対の辺にも、もう１つ或いは２つ同様の構造を設けても構わない。
【００１９】
梱包時は、まず、大型複写機１０を上部底板４上に載せ、その上部と底部に発泡スチロール製の緩衝材１１を宛がう。なお、下側の緩衝材１１にはキャスター１５が載るように、大型複写機１０を片側ずつ持ち上げてから緩衝材１１を差し込むようにする。そして、スロープ１３を垂直に立てた状態で上部ケース３を被せ、その上に上蓋９を載せる。最後に、フラップ７を垂直方向に立ち上げ、上部ケース３の下部とフラップ７との間及び上部ケース３の上部と上蓋９との間を、それぞれの所定位置に開設された連結具挿入穴８を通して、図示しないジョイントを差し込みロックすることにより、梱包ケース１として一体化される。開梱時は、上記と逆の手順で梱包ケース１を分解していくことになる。
【００２０】
ここで、スロープ１３は、梱包時は垂直に屈折されて上部ケース３の内壁に立て掛けて収納されているが、開梱時は、図３（ａ）の矢印に示すように、自重で回動して床面まで傾倒するようになっている。また、補強部材１４は、梱包時はスロープ１３の基端部で複写機１０の側面と上部ケース３内壁との隙間に位置して緩衝材としての役を担っているが、開梱時は、図３（ｂ）の矢印に示すように、スロープ１３の回動に伴って上部底板４の一端エッジ部に当接しながらスロープ１３の先端側に摺動するようになっている。
【００２１】
スロープ１３は水平位置に達すると、図３（ｃ）の矢印に示すように、上部底板４の一端エッジ部を支点として自重で若干折れ曲がる。このとき、補強部材１４は支柱６に隣接した位置にあって、その斜面部が床面に接することでスロープ１３を支える支柱となる。
【００２２】
以上のようにして底板体２の上面から床面に至るスロープが形成され、複写機１０のキャスター１５をこのスロープ上で転動して滑らせて、複写機１０を床面に下ろすことができる。従って、重い複写機１０を多人数で持ち上げる必要がなく、接地現場での作業人員の削減や作業性の向上等を図ることができる。
【００２３】
次に、本発明の第２の実施形態について説明する。以下、本実施形態の説明において、上記第１の実施形態と同一の部分には同一の符号を付してその詳細な説明を省略する。
【００２４】
図４は、本発明の第２の実施形態に係る梱包ケースの分解斜視図である。本実施形態においては、スロープは、一端が緩衝板１２に回転自在に枢支された第１スロープ１６と、この第１スロープ１６の他端に回転自在に枢支され上部ケース３内に収納されるように折り畳まれる第２スロープ１７とにより構成されている。第１，第２スロープ１６，１７間は、第１スロープ１６の他端縁を回動軸として第２スロープ１７が回動できるように、両者の境界部にクラフト紙等を貼り渡して、このクラフト紙等が第２スロープ１７が回動するときのヒンジの役割を担うように構成されている。第１，第２スロープ１６，１７はともに段ボール等の厚紙を材料として作製される。
【００２５】
補強部材１８は、例えば、図５に示すように、くさび形にカットした段ボール等の厚紙を積層し接着することにより軽量ブロックとして構成されている。そして、くさびの先端が第２スロープ１７の他端と一致する配置で第２スロープ１７の裏面に取り付けられることで、補強部材１８は第１スロープ１６に対して回動自在に設けられる（図６参照）。なお、補強部材１８は、くさびの後部が第１スロープ１６の裏側に回り込めるように、第２スロープ１７の長さよりも長い寸法に設定されている。
【００２６】
ここで、スロープは、梱包時は第１スロープ１６が垂直に屈折されるとともに、第２スロープ１７が折り畳まれて上部ケース３の内壁に立て掛けて収納されているが、開梱時は、図６（ａ）の矢印に示すように、第１スロープ１６を回動させるとともに、図６（ｂ）の矢印に示すように、第２スロープ１７を１８０°回動させることが可能となっている。これにより、第１スロープ１６と第２スロープ１７とを足したスロープ長を有する１本のスロープを作ることができる。また、補強部材１４は、梱包時は複写機１０の側面と上部ケース３内壁との隙間に位置して緩衝材としての役を担っているが、開梱時は、図６（ｂ）に示すように、第２スロープ１７の回動によって１８０°回動させることが可能となっている。これにより、図６（ｃ）に示すように、補強部材１８は第１，第２スロープ１６，１７間に跨ってスロープを支える支柱となる。
【００２７】
以上のようにして底板体２の上面から床面に至るスロープが形成され、複写機１０のキャスター１５をこのスロープ上で転動して滑らせて、複写機１０を床面に下ろすことができる。従って、重い複写機１０を多人数で持ち上げる必要がなく、接地現場での作業人員の削減や作業性の向上等を図ることができる。
【産業上の利用可能性】
【００２８】
本発明は、大型複写機等の重量製品を梱包する梱包ケースに利用することができる。
【図面の簡単な説明】
【００２９】
【図１】は、本発明の第１の実施形態に係る梱包ケースの分解斜視図である。
【図２】は、同上梱包ケースのスロープ補強部材の一例を示す斜視図である。
【図３】は、同上梱包ケースの開梱時に、底板体の上面から床面に傾斜面を形成する際の手順を示す断面図である。
【図４】は、本発明の第２の実施形態に係る梱包ケースの分解斜視図である。
【図５】は、同上梱包ケースのスロープ補強部材の一例を示す斜視図である。
【図６】は、同上梱包ケースの開梱時に、底板体の上面から床面に傾斜面を形成する際の手順を示す断面図である。
【図７】は、従来の梱包ケースの底板体の支柱部分の構成と傾斜面の形成の順序を示す模式図である。
【符号の説明】
【００３０】
１  梱包ケース
２  底板体
３  上部ケース
４  上部底板
５  下部底板
６  支柱
７  フラップ
８  連結具挿入穴
９  上蓋
１０  大型複写機
１１  緩衝材
１２  緩衝板
１３  スロープ
１４  補強部材
１５  キャスター
１６  第１スロープ
１７  第２スロープ
１８  補強部材
【図１】
2006096356.tif 000003
【図２】
2006096356.tif 000004
【図３】
2006096356.tif 000005
【図４】
2006096356.tif 000006
【図５】
2006096356.tif 000007
【図６】
2006096356.tif 000008
【図７】
2006096356.tif 000009